(57)【要約】【課題】    目的魚がいる場所に到着する前に、釣り針に取り付けた釣りエサをエサ取りが食したりつつくことを防止又は減少させる釣りエサ用容器を提供する。【解決手段】釣り針に取り付けられた釣りエサの少なくとも一部を内部空間に収容し釣りエサを保護する釣りエサ用容器であって、分割された少なくとも２の部分を有して構成され、該釣り針を支持する釣り糸を貫通させる糸貫通孔を有する該内部空間と外部空間とを仕切る壁部と、該少なくとも２の部分が該壁部を形成するよう互いに固定する固定手段と、を備えてなり、固定手段が、水分と接触し所定時間が経過した後、該少なくとも２の部分の固定を解くものである、釣りエサ用容器である。【選択図】  図４
2009254297.tif 000002
【特許請求の範囲】
【請求項１】
釣り針に取り付けられた釣りエサの少なくとも一部を内部空間に収容し釣りエサを保護する釣りエサ用容器であって、
分割された少なくとも２の部分を有して構成され、該釣り針を支持する釣り糸を貫通させる糸貫通孔を有する該内部空間と外部空間とを仕切る壁部と、
該少なくとも２の部分が該壁部を形成するよう互いに固定する固定手段と、
を備えてなり、
固定手段が、水分と接触し所定時間が経過した後、該少なくとも２の部分の固定を解くものである、釣りエサ用容器。
【請求項２】
固定手段が前記少なくとも２の部分の固定を解くことで、前記少なくとも２の部分の少なくとも１が脱落又は回動が可能となり、該脱落又は該回動により前記外部空間に存する目的魚が前記釣りエサを食すことができる状態となるものである、請求項１に記載の釣りエサ用容器。
【請求項３】
前記固定手段が、前記分割された少なくとも２の部分を縛着し固定する線材を含んでなり、
該線材の少なくとも一部が、水分に接触することで分断又は消滅する部材である水分分断消滅部材である、請求項１に記載の釣りエサ用容器。
【請求項４】
水分分断消滅部材が、水分に接触することで溶解するものである、請求項３に記載の釣りエサ用容器。
【請求項５】
水分分断消滅部材が、ポリビニルアルコール又はポリ酢酸ビニルの部分ケン化物により形成される紐材である、請求項４に記載の釣りエサ用容器。
【請求項６】
前記線材が、水分分断消滅部材と、それ以外の残部と、を有してなり、
該残部が、引き伸ばされることで水分分断消滅部材に張力を与える弾性部材を含んでなるものである、請求項３乃至５のいずれか１に記載の釣りエサ用容器。
【請求項７】
前記分割された少なくとも２の部分のうち少なくとも一が、前記線材が該線材の長手方向に対して垂直方向に移動することを制限する移動制限手段を有するものである、請求項３乃至６のいずれか１に記載の釣りエサ用容器。
【請求項８】
前記移動制限手段が、前記垂直方向に前記線材が移動する際、前記垂直方向から前記線材に当接する凹部又は凸部である、請求項７に記載の釣りエサ用容器。
【請求項９】
前記少なくとも２の部分が２の部分であり、前記線材が該２の部分の外面を巡るように該２の部分を縛着し固定するものである、請求項３乃至８のいずれか１に記載の釣りエサ用容器。
【請求項１０】
前記所定時間が２０秒から１２０秒である、請求項１乃至９のいずれか１に記載の釣りエサ用容器。
【請求項１１】
前記少なくとも２の部分が前記壁部を形成するよう互いに固定された際、前記少なくとも２の部分の接合部分に糸貫通孔が形成されるものである、請求項１乃至１０のいずれか１に記載の釣りエサ用容器。
【請求項１２】
請求項１乃至１１のいずれか１に記載の釣りエサ用容器を構成する前記壁部。
【請求項１３】
請求項１乃至１１のいずれか１に記載の釣りエサ用容器を構成する前記固定手段。
【発明の詳細な説明】
【技術分野】
【０００１】
本発明は、釣り針に取り付けられた釣りエサの少なくとも一部を内部空間に収容し釣りエサを保護する釣りエサ用容器に関し、より詳細には、釣り針に取り付けられた釣りエサを水中（例えば、海、湖、池又は川の中）に投げ入れた際、釣り上げることを意図しない魚（所謂、「エサ取り」。以後、エサ取りと言うこともある。）が該釣りエサをつついたり食べたりすることにより、釣り上げることを意図する目的魚を釣り上げることが妨害されることを防止又は減少させることができる釣りエサ用容器に関する。
【背景技術】
【０００２】
釣りエサを取り付けた釣り針を水中に投入し、水中にいる魚を釣り上げる魚釣り（単に、「釣り」ということもある。）は、余暇の楽しみ（レジャー）としてや漁業として幅広く行われている。
かかる魚釣りにおいては、魚種や大きさ等により釣り上げることを意図する目的魚（例えば、体長３０ｃｍ以上の鯛）をできる限り多く釣り上げたいと欲することがあり、そのためには釣り針に取り付けた釣りエサを目的魚にいかに食べさせるかが問題となる。
一方、目的魚がいる水中には、通常、釣り上げることを意図しない魚（エサ取り）もいるので、釣り針に取り付けた釣りエサをエサ取りが食したりつつくことにより、釣り針に取り付けた釣りエサが食べられてなくなったり脱落することが生じ得る。このように釣り針に取り付けた釣りエサをエサ取りが食すこと等により釣りエサがなくなってしまうと、目的魚が食すべき釣りエサが釣り針に着いていないので目的魚を釣り上げることはできない（このように釣りエサが釣り針に着いていない状態では目的魚が釣れる可能性はないので時間が無駄である。）。加えて、エサ取りが釣りエサを食べることで釣り針に係り、釣り上げられることもあるが、かかる場合、エサ取りを釣り針から取り外し、そして釣り針に新しい釣りエサを付け、再度、水中に投入する必要があるためやはり時間や釣りエサを無駄にすることになる。
このように釣り針に取り付けた釣りエサをエサ取りが食したりつつくことにより、目的魚を釣り上げることが妨害されることを防止又は減少させるための提案が種々なされてきた（例えば、特許文献１参照）。
【０００３】
特許文献１に開示の発明は、「タナに到達する前に餌取り魚に食わせ餌を取られたり、餌取り魚の釣り上げを回避すると共に、釣針が引っかかることなく確実に撒き餌と食わせ餌を付けた釣針を外部に放出できる魚釣用の撒き餌具を提供する。」（特許文献１中、要約中の課題）ためになされたものであり、具体的には、「上部に水は通過するが沈降中に撒き餌が通過しない通水部を有すると共に底部に撒き餌および釣針の通過できる開口部を有する筒状の本体と、該本体の上部に設けられた接続部を備え、前記本体に錘作用を持たせたことを特徴とする釣魚用撒き餌具。」（特許文献１中、請求項１）であり、それによって「かかる撒き餌具は、本体上部の接続部を道糸または天秤などの接続具に接続し、開口部から本体内部に撒き餌および食わせ餌を付けた釣針を収容することができる。その際、通水部が内部の空気や液体の通路となるので撒き餌が容易に且つスムースに充填できる。また、撒き餌具を水中に沈降させて目的とする魚種の回遊するタナまで到達させる途中においては、本体の錘作用および道糸の上向きの張力により本体は開口部を下側にして沈降する。そして内部に収容された撒き餌は下方からの水圧で内部に安定して保持され、さらに通水部から撒き餌が外部に散逸することもない。また食わせ餌を付けた釣針は本体内に収容されているので、食わせ餌を餌取り魚に食われたり、餌取り魚が釣れたりすることがない。そしてタナに到達した後は、道糸を僅かに上方へ引くことにより、あるいは通水部を通した水圧や水の流通により静止状態において、釣針などが本体に引っかかることなく、撒き餌および食わせ餌を付けた釣針を外部へ確実且つ円滑に放出することができる。」（特許文献１中、発明の詳細な説明の段落番号０００９及び００１０、）というものである。
【０００４】
【特許文献１】特開２０００−９３０５９号公報（例えば、発明の詳細な説明の段落番号０００２〜００１０、００２７及び００２８、第１図、要約等）
【発明の開示】
【発明が解決しようとする課題】
【０００５】
確かに、特許文献１に開示された釣魚用撒き餌具によれば、「撒き餌具を水中に沈降させて目的とする魚種が回遊するタナまで到達させる際には、本体の錘作用および道糸の上向きの張力により本体は開口部を下側に沈降するが、内部に収容された撒き餌は下方からの水圧で内部に保持され、さらに通水部から外部への撒き餌の散逸もない。また、食わせ餌を付けた釣針は撒き餌と共に本体内に収容されるので、タナに達するまでに食わせ餌を餌取り魚に食われたり、餌取り魚が釣れたりすることもない。そしてタナに到達した後は、道糸を僅かに上方へ引くことにより、あるいは通水部を通した水圧や水の流通により静止状態において、釣針などが本体に引っかかることなく、撒き餌および食わせ餌を付けた釣針を外部へ確実且つ円滑に放出することができる。」（特許文献１中、発明の詳細な説明の段落番号００２７後段部分及び００２８）が、撒き餌と食わせ餌は、本体が開口部を下側に沈降する際に加わる下方からの水圧により内部に保持されるものであるので、撒き餌と食わせ餌が内部に収容される状態が保たれず、釣り人が意図しない場合に撒き餌と食わせ餌とが外部に放出され、撒き餌や食わせ餌がエサ取りに食われたりエサ取りが釣れることもある。例えば、道糸の上向きの張力が変動すると、本体が開口部を下側に安定して沈降しなくなったり沈降の速度が変動することにより、撒き餌と食わせ餌とを内部に保持するための該下方からの水圧が安定して加わらなくなって、タナに到達する前に撒き餌と食わせ餌とが外部に放出されることがある。そして、本体が沈降する水中の水流（例えば、潮の流れ）が速いような場合には、本体が開口部を下側に安定して沈降しなくなったり水流により生じる圧力により、撒き餌と食わせ餌とを内部に保持するための該下方からの水圧が安定して加わらなくなって、やはりタナに到達する前に撒き餌と食わせ餌とが外部に放出されることがある。
即ち、特許文献１に開示された発明では、目的魚がいる場所（特許文献１においてはタナ）に到着する前に、食わせ餌が外部に放出され、釣り針に取り付けた釣りエサ（食わせ餌）をエサ取りが食したりつつくことにより、目的魚を釣り上げることが妨害されることがある。
【０００６】
そこで、本発明においては、目的魚がいる場所に到着する前に、釣り針に取り付けた釣りエサをエサ取りが食したりつつくことを防止又は減少させることにより（エサ取りから釣りエサを保護する。）、目的魚を効果的に釣り上げることを可能ならしめる釣りエサ用容器を提供することを目的とする。
【課題を解決するための手段】
【０００７】
本発明の釣りエサ用容器（以下、「本容器」という。）は、釣り針に取り付けられた釣りエサの少なくとも一部を内部空間に収容し釣りエサを保護する釣りエサ用容器であって、分割された少なくとも２の部分を有して構成され、該釣り針を支持する釣り糸を貫通させる糸貫通孔を有する該内部空間と外部空間とを仕切る壁部と、該少なくとも２の部分が該壁部を形成するよう互いに固定する固定手段と、を備えてなり、固定手段が、水分と接触し所定時間が経過した後、該少なくとも２の部分の固定を解くものである、釣りエサ用容器である。
【０００８】
本容器は、壁部と固定手段とを備えてなる。
壁部は、内部空間と外部空間とを仕切る（壁部が内部空間と外部空間とを仕切ることで、外部空間に存する魚が、内部空間に収容された釣りエサを食すことができない。）。壁部は、釣りエサをつけた釣り針を支持する釣り糸を貫通させる糸貫通孔を有する。そして、壁部は、分割された少なくとも２の部分を有して構成される（少なくとも２の部分であるので、２の部分、３の部分、４の部分、５の部分・・・というふうに２以上の部分に壁部は分割されていれば足りる。）。
固定手段は、壁部を構成する分割された該少なくとも２の部分が壁部を形成するよう互いを固定する。そして、固定手段が、水分と固定手段が接触し所定時間が経過した後、内部空間と外部空間とを仕切る壁部を構成する該少なくとも２の部分の固定を解く。
このように本容器は、釣り針に取り付けられた釣りエサの少なくとも一部を内部空間に収容する保護容器であり、釣り針が取り付けられた釣り糸を壁部の糸貫通孔に貫通させ、壁部が外部空間と仕切る内部空間に釣りエサの少なくとも一部（無論、釣りエサの全部であってもよい。）を収容する（即ち、釣り針に取り付けられた釣りエサの少なくとも一部が該内部空間に収容され、該釣り針が取り付けられた釣り糸は壁部の糸貫通孔から該外部空間へ突出する。）ことで、釣り針に取り付けた釣りエサをエサ取りが食したりつつくことを防止又は減少させ、釣りエサを保護するものである。固定手段が、水分と接触し所定時間が経過すれば、壁部を構成する該少なくとも２の部分の固定を解くので、壁部の内部空間と外部空間との仕切りが解除可能になり、外部空間に存する魚が、釣り針に取り付けた釣りエサに接近可能（例えば、釣りエサを口でつついたり、釣りエサを食べたりすること）となる。即ち、釣り針に取り付けられた釣りエサの少なくとも一部を内部空間に収容した本容器を、該所定時間（固定手段が、水分と接触した後に該少なくとも２の部分の固定を解くまでの時間）が経過するまでに目的魚がいる場所に到着させることで、そこに到着する前に釣りエサをエサ取りが食したりつつくことを防止又は減少させ（釣りエサを保護する。）、該所定時間が経過した後は目的魚が釣りエサに接近可能（例えば、釣りエサを口でつついたり、釣りエサを食べたりすること）にすることで、目的魚を効果的に釣り上げることを可能ならしめるものである。
【０００９】
固定手段が前記少なくとも２の部分の固定を解くことで、前記少なくとも２の部分の少なくとも１が脱落又は回動が可能となり、該脱落又は該回動により前記外部空間に存する目的魚が前記釣りエサを食すことができる状態となるものであってもよい。
上述の如く本容器においては、固定手段が、水分と接触し所定時間が経過すれば、壁部を構成する前記少なくとも２の部分の固定を解き、壁部の内部空間と外部空間との仕切りが解除可能となることで、外部空間に存する魚が、釣り針に取り付けた釣りエサに接近可能（例えば、釣りエサを口でつついたり、釣りエサを食べたりすること）となる必要があるが、固定手段が前記少なくとも２の部分の固定を解くことで、前記少なくとも２の部分の少なくとも１（前記少なくとも２の部分の１又は２以上）が脱落又は回動が可能となるようにし、該脱落又は該回動により外部空間に存する目的魚が前記釣りエサを食すことができる状態（内部空間に収容されていた釣りエサの少なくとも一部が外部空間に脱出するか、又は目的魚が内部空間に口をつっこむことで内部空間に収容されている釣りエサの少なくとも一部を口でつついたり食べたりすることができる状態をいう。）となるようにすれば、固定手段が前記少なくとも２の部分の固定を解いた後、容易かつ確実に外部空間に存する魚が釣りエサに接近可能にすることができ、目的魚を効果的に釣り上げることを可能ならしめる。
【００１０】
前記固定手段が、前記分割された少なくとも２の部分を縛着し固定する線材を含んでなり、該線材の少なくとも一部が、水分に接触することで分断又は消滅する部材である水分分断消滅部材であってもよい（以下、「水分分断消滅部材保有本容器」という。）。
固定手段は、壁部を構成する分割された前記少なくとも２の部分が壁部を形成するよう互いに固定し、そして固定手段が水分と接触し所定時間が経過した後に該少なくとも２の部分の固定を解くものであればいかなるものであってもよく、何ら限定されるものではないが、分割された前記少なくとも２の部分を縛着し固定する線材を含んでなり、該線材の少なくとも一部が、水分に接触することで分断又は消滅する部材である水分分断消滅部材であるようにしてもよい。こうすることで、分割された前記少なくとも２の部分を線材によって縛り付けることで前記少なくとも２の部分が壁部を形成するよう容易かつ確実に互いに固定すると共に、線材の少なくとも一部である水分分断消滅部材が水分に接触することで分断又は消滅するので固定手段が水分と接触し所定時間が経過すると前記少なくとも２の部分の固定を確実に解くことができる。なお、この場合、線材の少なくとも一部が、水分に接触することで分断又は消滅する部材である水分分断消滅部材であればよいが、線材の全部が水分分断消滅部材であってもよい。
【００１１】
水分分断消滅部材保有本容器の場合、水分分断消滅部材が、水分に接触することで溶解するもの（以下、「水溶性部材保有本容器」という。）であってもよい。
こうすることで水分に接触することで溶解する数多くの材料によって水分分断消滅部材を形成することができるので、水分分断消滅部材が水分に溶解することで水分に接触して分断又は消滅し前記少なくとも２の部分の固定を確実に解くことができると共に、水分分断消滅部材を形成する材料を多くの水溶性材料から適宜選択することで前記所定時間（固定手段が、水分と接触した後に該少なくとも２の部分の固定を解くまでの時間）を目的に応じて調節することができる。
【００１２】
水溶性部材保有本容器の場合、水分分断消滅部材は、水分に接触することで溶解する材料で適宜形成されればよく何ら限定されるものではないが、例えば、ポリビニルアルコール又はポリ酢酸ビニルの部分ケン化物により形成される紐材であってもよい。ポリビニルアルコール又はポリ酢酸ビニルの部分ケン化物は、自然界の水中（例えば、海、湖、池又は川の中）に溶解しても低毒性でありかつ微生物等により分解されやすいため環境汚染を引き起こしにくい。そして、ポリ酢酸ビニルの部分ケン化物は、ケン化度によって水に対する溶解性を異ならせることができるので、ケン化度により溶解性を変化させることで前記所定時間（固定手段が、水分と接触した後に該少なくとも２の部分の固定を解くまでの時間）を所望のものに調節することができる。
【００１３】
水分分断消滅部材保有本容器の場合、前記線材が、水分分断消滅部材と、それ以外の残部と、を有してなり、該残部が、引き伸ばされることで水分分断消滅部材に張力を与える弾性部材を含んでなるものであってもよい。
水分分断消滅部材保有本容器の場合には、固定手段の線材が、分割された前記少なくとも２の部分を縛着し固定し、該線材の少なくとも一部である水分分断消滅部材が水分に接触することで分断又は消滅するが、水分分断消滅部材の円滑な分断を促すためには水分分断消滅部材に張力を与えておいてもよい。このような張力を水分分断消滅部材に与えておけば、水分分断消滅部材が水分に接触することで強度が低下して該張力に耐えられなくなると水分分断消滅部材が確実かつ円滑に分断することで、固定手段が水分と接触し前記所定時間が経過した後、前記少なくとも２の部分の固定を確実に解くことができる。このような張力を水分分断消滅部材に与えるには、線材が、水分分断消滅部材と、それ以外の残部と、を有してなり、該残部が、引き伸ばされることで水分分断消滅部材に張力を与える弾性部材を含んでなるようにしてもよい。なお、弾性部材としては、適当な張力を水分分断消滅部材に与えることができるものであればいかなるものであってもよく何ら限定されるものではないが、例えば、ゴム紐やばね（樹脂製や金属製）等を例示できる。
【００１４】
水分分断消滅部材保有本容器の場合、前記分割された少なくとも２の部分のうち少なくとも一が、前記線材が該線材の長手方向に対して垂直方向に移動することを制限する移動制限手段を有するもの（以下、「移動制限手段保有本容器」という。）であってもよい。
固定手段が、前記分割された少なくとも２の部分を縛着し固定する線材を含んでなる場合、前記分割された少なくとも２の部分に対してそれらを縛着する線材が、該線材の長手方向に対して垂直方向に移動することにより不意に壁部からずれたり脱落することが生じ得る。これを有効に防止又は減少させるため、該線材が該線材の長手方向に対して垂直方向に移動すること（即ち、線材が横方向にずれること）を制限する移動制限手段が前記分割された少なくとも２の部分のうち少なくとも一（無論、前記分割された少なくとも２の部分のうちの二以上の部分や全部であってもよい。）に形成されるようにしてもよい。
【００１５】
移動制限手段保有本容器の場合、前記移動制限手段が、前記垂直方向に前記線材が移動する際、前記垂直方向から前記線材に当接する凹部又は凸部であってもよい。
このように線材の長手方向に対する垂直方向に線材が移動する際、前記垂直方向から前記線材に当接する凹部又は凸部として前記移動制限手段を構成すれば、該線材が該線材の長手方向に対して垂直方向に不意に移動することを簡単な構成により確実に防止又は減少させることができる。
なお、前記垂直方向から前記線材に当接する凹部又は凸部とは、該線材が該線材の長手方向に対して垂直方向に不意に移動することを所望程度に防止又は減少させるものであれば足り、該線材の全長にわたって該線材に当接可能なものである必要は必ずしもなく（無論、該線材の全長にわたって該線材に当接可能なものであってもよい。）、該線材の長手方向に沿って破線状に設けられた凹部（溝）又は凸部（凸条）であっても、該線材の長手方向に沿った一部の領域のみに設けられた凹部（溝）又は凸部（凸条）であってもよい。
【００１６】
水分分断消滅部材保有本容器の場合、前記少なくとも２の部分が２の部分であり、前記線材が該２の部分の外面を巡るように該２の部分を縛着し固定するものであってもよい。
上記のように壁部は分割された前記少なくとも２の部分を有して構成され、前記少なくとも２の部分は２の部分、３の部分、４の部分、５の部分・・・といったように２以上の部分であればよいが、あまり壁部が多くの部分に分割されると前記少なくとも２の部分が該壁部を形成するよう互いに固定するのに手間取るので、前記少なくとも２の部分を２の部分とし、前記線材が該２の部分の外面を巡るように該２の部分を縛着し固定するようにすれば、前記少なくとも２の部分が該壁部を形成するよう容易に固定することができ、本容器を用いて釣りを効率的に行うことができる。
【００１７】
本容器における前記所定時間（固定手段が、水分と接触した後に前記少なくとも２の部分の固定を解くまでの時間）は、あまり短いと、釣り針に取り付けられた釣りエサの少なくとも一部を内部空間に収容した本容器を目的魚がいる場所に到着させる前に前記少なくとも２の部分の固定が解かれ、釣りエサをエサ取りが食したりつつく可能性を増加させる問題があり、逆に、あまり長いと、釣り針に取り付けられた釣りエサの少なくとも一部を内部空間に収容した本容器を目的魚がいる場所に到着させた後も前記少なくとも２の部分の固定が解かれないので釣りの時間が無駄になる問題が生じうる。このため前記所定時間はこれらを両立する範囲とされることが好ましく、通常の釣りにおいては、好ましくは２０秒以上であり、より好ましくは２５秒以上であり、最も好ましくは３０秒以上であり、そして好ましくは１２０秒以下であり、より好ましくは９０秒以下であり、最も好ましくは６０秒以下である（従って、好ましくは２０秒以上１２０秒以下であり、より好ましくは２５秒以上９０秒以下であり、最も好ましくは３０秒以上６０秒以下である。）。
【００１８】
本容器においては、前記少なくとも２の部分が前記壁部を形成するよう互いに固定された際、前記少なくとも２の部分の接合部分に糸貫通孔が形成されるものであってもよい。
このように壁部を構成する前記少なくとも２の部分の接合部分に糸貫通孔が形成されれば、前記少なくとも２の部分の固定が解かれると、前記少なくとも２の部分のうち糸貫通孔を規定する部分が他の部分に対して脱落や回動等することで釣り糸が壁部を貫通する部分が広がる。この壁部を釣り糸が貫通する部分が広がることで、釣り糸の先に取りつけられた釣り針や該釣り針に取り付けられた釣りエサが内部空間から外部空間に脱出することを容易にし、外部空間に存する目的魚が釣りエサを一層食べやすくすることができるので、目的魚を効果的に釣り上げることができる。
【００１９】
本容器は、本容器を構成する壁部と固定手段とを一緒にして販売や流通がなされてもよいが、本容器の使用者の好みや目的によって、本容器の前記壁部と本容器の前記固定手段とを自由に組み合わせることができる等のために、本容器の前記壁部と、本容器の前記固定手段と、を別々に販売や流通がなされてもよい。
【発明を実施するための最良の形態】
【００２０】
以下、本発明の実施の形態を図面を参照して説明する。しかしながら、これらによって本発明は何ら制限されるものではない。
【００２１】
図１は、一実施形態の本発明の釣りエサ用容器（本容器）１１を示す正面図であり、図２は本容器１１の左側面図（図１中、矢印Ａ方向から見たところを示している。）であり、図３は本容器１１の平面図（図１中、矢印Ｂ方向から見たところを示している。）であり、図４は図２のＣ−Ｃ断面図（断面位置の理解を容易にするため、図３中にもＣ−Ｃ断面として示した。）であり、図５は後述する第１壁部分２１及び第２壁部分４１の断面図（断面位置を図１、図２及び図４にＤ−Ｄ断面として示した。また、理解を容易にするため、図５においては第１壁部分２１と第２壁部分４１とを離して図示した。）であり、図６は後述する第１壁部分２１及び第２壁部分４１の断面図（断面位置を図１、図２及び図４にＥ−Ｅ断面として示した。また、理解を容易にするため、図６においては第１壁部分２１と第２壁部分４１とを離して図示した。）であり、そして図７は後述する線材７１の構造を示す詳細図である。図１乃至図７を参照して、本容器１１について説明する。
本容器１１は、大まかには、第１壁部分２１と、第２壁部分４１と、第１壁部分２１と第２壁部分４１とを縛り付け固定する線材７１と、を備えてなる。
【００２２】
第１壁部分２１と第２壁部分４１とは、いずれも同じ大きさ（同寸法）及び同じ材質（ここでは樹脂材料）にて形成された同一のものであり、具体的には、第１の楕円形をその短軸を中心に１回転させて形成される立体（以下、「第１楕円球」という。）から内部空間１３（特に、図４参照）をくり抜いた中空の第１楕円球を、第１の楕円形の該短軸を含む平面Ｐ（仮想上での面）に沿って切断して形成される２の部分の一方が第１壁部分２１であり他方が第２壁部分４１である。このため第１壁部分２１と第２壁部分４１とを合わせると、図１乃至図４に示すように中空の立体（第１楕円球）の形状を形成する。なお、内部空間１３は、第１の楕円形の中心を中心とする第２の楕円形であって、第２の楕円形の短軸は第１の楕円形の短軸よりも短くかつこれら両短軸は同一直線上に存すると共に、第２の楕円形の長軸は第１の楕円形の長軸よりも短くかつこれら両長軸は同一直線上に存するものである第２の楕円形を、第２の楕円形の短軸を中心に１回転させて形成される立体（以下、「第２楕円球」という。）の形状を略なしている。
そして、第１の楕円形の該短軸を含む直線に平行な直線に略垂直かつ平面Ｐに対して略平行に長手方向が向いた線材係合溝２３（線分に沿って形成されている）が第１壁部分２１に形成されると共に、第１の楕円形の該短軸を含む直線に平行な直線に略垂直かつ平面Ｐに対して略平行に長手方向が向いた線材係合溝４３（線分に沿って形成されている）が第２壁部分４１に形成されている（平面Ｐから線材係合溝２３（の底）までの距離Ｆ１と、平面Ｐから線材係合溝４３（の底）までの距離Ｆ２と、は略等しく、線材係合溝２３と線材係合溝４３とは略平行である。）。
【００２３】
さらに、前述の如く、内部空間１３は、第２楕円球の形状を略なしており、平面Ｐによって第１壁部分２１の内部である第１内部空間１３ａと第２壁部分４１の内部である第２内部空間１３ｂとに分割されている（特に、図４を参照されたい。換言すれば内部空間１３は、第１内部空間１３ａと第２内部空間１３ｂとを有してなる。）。
また、内部空間１３を通過する第１の楕円形の前記短軸の一端（ここでは図１、図２及び図４においては上端）近傍には、第１の楕円形の前記短軸を軸とする略直円柱形状に糸貫通孔１５が穿設されている。糸貫通孔１５は、内部空間１３と外部空間１４とを連絡するように第１の楕円形の前記短軸に沿って形成されており、糸貫通孔１５は平面Ｐにより分割されることができ、詳細には、第１壁部分２１側に形成された半円柱形状の第１糸貫通孔１５ａと、第２壁部分４１側に形成された半円柱形状の第２糸貫通孔１５ｂと、を有してなる。この糸貫通孔１５は、内部空間１３に収容された釣り針９１ａ、９１ｂ（特に、図４参照。実際は釣り針９１ａ、９１ｂは釣りエサ９３の内部に包まれている。）を支持する釣り糸９５を内部空間１３から外部空間１４へ貫通させるためのものである。なお、糸貫通孔１５は釣り針９１ａ、９１ｂを通過させることができない程度の大きさに形成されている。
【００２４】
線材７１は、第１の楕円形の前記短軸に対して略垂直な平面（ここでは第１の楕円形の前記長軸を該平面は略含む。）に沿って第１壁部分２１と第２壁部分４１とを巡るように縛りつけ固定している。
線材７１は、水分に接触することで溶解する水溶性部分７３と、柔軟なゴム紐（輪ゴム）によって形成された弾性部材７５と、を有してなる。線材７１が第１壁部分２１と第２壁部分４１とを巡るように縛りつけ固定した状態（図１〜図４の状態）では、弾性部材７５は力が加わっていない自然な状態からやや引き伸ばされており、これによって弾性部材７５は水溶性部分７３に張力（ここでは約２７ｇ重）を与えている。図７（ａ）に示す通り、線材７１は、ゴム紐（輪ゴム。例えば、株式会社共和製の商品名「オーバンド」の型番Ｎｏ．１６等を用いることもできる。）によって形成された環状の弾性部材７５と、水分に接触することで溶解する環状の糸により形成された水溶性部分７３と、によって構成されており、図７（ａ）の状態から図７（ｂ）のように弾性部材７５と水溶性部分７３とを交差させるようにして形成されている。また、水溶性部分７３は、ここでは株式会社クラレ製の商品名「クラロンＫーＩＩ」の型番ＷＮ２の２０番手を２本重ね（図７においては、図示を容易にするため水溶性部分７３は１本の線で描いているが、この描かれた１本の線に２本の糸が含まれる。）として用いた。
【００２５】
本容器１１の使用方法について説明する。
本容器１１の使用方法の第１ステップでは、図４に示したように、釣り糸９５に支持された釣り針９１（９１ａ、９１ｂ）に釣りエサ９３をつける。ここでは釣りエサ９３として練り餌を用いているがこれに限定されるものではなく、他の釣りエサを用いてよいことは言うまでもなく、他の釣りエサの例を挙げれば、赤貝のむき身、ムール貝のむき身、イソメ類（例えば、アカムシ、イワムシ、スゴカイ、オニイソメ等）等の如きである。
本容器１１の使用方法の第２ステップでは、図４に示したように、釣り針９１（９１ａ、９１ｂ）に第１ステップにて取りつけられた釣りエサ９３を、第１壁部分２１と第２壁部分４１とを分離して開き内部空間１３に収容すると共に、釣り糸９５を内部空間１３から外部空間１４へ貫通させた状態で第１壁部分２１と第２壁部分４１とを第１楕円球を略なすように閉じる。
本容器１１の使用方法の第３ステップでは、第２ステップにおいて内部空間１３に釣りエサ９３を収容した第１壁部分２１と第２壁部分４１とを図１乃至図４に示すように線材７１によって縛りつけ固定する。このとき線材７１の一部が図１乃至図４のように線材係合溝２３及び線材係合溝４３に長手方向に沿って嵌入されるようにすることで、線材７１が（横方向にずれることなく）安定して第１壁部分２１と第２壁部分４１とを巡るように縛りつけ固定することができる。
【００２６】
本容器１１の使用方法の第４ステップでは、第３ステップにおいて線材７１にて第１壁部分２１及び第２壁部分４１を縛着した本容器１１を、図８に示すように目的魚２０１がいる水中３０１に投入する。本容器１１が水中３０１に投入されると、線材７１の一部を構成する水溶性部分７３が水分に接触することで溶解を開始する。水溶性部分７３が溶解し弾性部材７５により加えられる張力に耐えられなくなると、図８に示すように水溶性部分７３の一部が分断することで、線材７１による第１壁部分２１と第２壁部分４１との固定（縛着）が解かれ、第１壁部分２１と第２壁部分４１とが釣りエサ９３から脱落する。これにより釣りエサ９３が内部空間１３から外部空間１４に露出し、外部空間１４に存する目的魚２０１が釣りエサ９３を食すことができるようになる。即ち、本容器１１が水中３０１に投入されてから、水溶性部分７３の一部が分断し線材７１による第１壁部分２１と第２壁部分４１との固定（縛着）が解かれるまでは、釣りエサ９３は水中３０１にいる魚（エサ取り）から保護されるので、線材７１による第１壁部分２１と第２壁部分４１との固定（縛着）が解かれるまでに本容器１１をエサ取りがいる場所から目的魚２０１がいる場所に到着させればよい。
以上のように、本容器１１を用いれば、線材７１による第１壁部分２１と第２壁部分４１との固定（縛着）が解かれるまでの時間に本容器１１をエサ取りがいる場所から目的魚２０１がいる場所に到着させることで、目的魚２０１がいる場所に到る間にエサ取りが釣りエサ９３を食したりつつくことを防止又は減少させ目的魚２０１を効果的に釣り上げることができる。
なお、線材７１にて第１壁部分２１及び第２壁部分４１を縛着した本容器１１を水中３０１に投入してから、水溶性部分７３の一部が分断し線材７１による第１壁部分２１と第２壁部分４１との固定（縛着）が解かれるまでの時間（以下「解放所要時間」という。）は、ここでは約４９秒であった。
【００２７】
解放所要時間は、本容器１１を目的魚２０１がいる場所に到着させるのに要する時間に応じて調整する必要が生じることがある。また、水中３０１の水温の変化や張力の変化により、解放所要時間が変化して所望範囲から外れることがあり、やはりこの場合も解放所要時間を調整する必要が生じる。
この解放所要時間の調整は、種々の方法によって行われてよく、何ら限定されるものではないが、例えば、（イ）水溶性部分７３を形成する材質を変更すること（該材質の水溶性を高めれば解放所要時間は短くなり、該材質の水溶性を低めれば解放所要時間は長くなる。）、（ロ）水溶性部分７３を形成する糸の太さを変更すること（該糸を太くすれば解放所要時間は長くなり、該糸を細くすれば解放所要時間は短くなる。）、（ハ）水溶性部分７３を形成する糸の本数（上述の例では２本重ね）を変更すること（該本数を多くすれば解放所要時間は長くなり、該本数を少なくすれば解放所要時間は短くなる。）、（ニ）水溶性部分７３の張力（上述の例では約２７ｇ重）を変更すること（該張力を小さくすれば解放所要時間は長くなり、該張力を大きくすれば解放所要時間は短くなる。）等によって行われてもよい。
例えば、（ロ）水溶性部分７３を形成する糸の太さを変更するために、株式会社クラレ製の商品名「クラロンＫーＩＩ」の型番ＷＮ２の４０番手と２０番手との両方を用い（上記の例では２０番手を用いた。なお、４０番手の方が２０番手よりも細い。）、（ハ）水溶性部分７３を形成する糸の本数を１、２、３、５、１０本と変更して（上記の例では２本重ね）、水中３０１の水温約１９℃にて解放所要時間を測定した。測定した解放所要時間を表１にまとめた。表１に示すように、株式会社クラレ製の商品名「クラロンＫーＩＩ」の型番ＷＮ２の４０番手及び２０番手を１〜１０本にして水溶性部分７３を形成することで、解放所要時間を６〜９３秒と広範に調整することができることが明らかになった。
【００２８】
（表１）測定した解放所要時間
１本      ２本      ３本      ５本      １０本
（２０番手）    １４秒    ４９秒    ５８秒    ９３秒      解放されず
（４０番手）      ６秒    ３０秒    ４３秒    ５４秒      ７２秒
【００２９】
以上説明したように、本容器１１は、釣り針９１（９１ａ、９１ｂ）に取り付けられた釣りエサ９３の少なくとも一部（ここでは全部）を内部空間１３に収容し釣りエサ９３を保護する釣りエサ用容器であって、分割された少なくとも２の部分（第１壁部分２１と第２壁部分４１）を有して構成され、該釣り針９１（９１ａ、９１ｂ）を支持する釣り糸９５を貫通させる糸貫通孔１５を有する該内部空間１３と外部空間１４とを仕切る壁部（第１楕円球を略形成するように合わされた状態の第１壁部分２１及び第２壁部分４１）と、該少なくとも２の部分（第１壁部分２１と第２壁部分４１）が該壁部（第１楕円球を略形成するように合わされた状態の第１壁部分２１及び第２壁部分４１）を形成するよう互いに固定する固定手段たる線材７１と、を備えてなり、固定手段（線材７１）が、水分と接触し所定時間が経過した後、（ここでは水溶性部分７３の一部が分断することで）該少なくとも２の部分（第１壁部分２１と第２壁部分４１）の固定を解くものである、釣りエサ用容器である。
【００３０】
本容器１１においては、固定手段（線材７１）が前記少なくとも２の部分（第１壁部分２１と第２壁部分４１）の固定を解くことで、前記少なくとも２の部分（第１壁部分２１と第２壁部分４１）の少なくとも１（ここでは第１壁部分２１と第２壁部分４１との両方）が脱落又は回動（ここでは脱落。図８参照）が可能となり、該脱落又は該回動（ここでは該脱落）により前記外部空間１４に存する目的魚２０１が前記釣りエサ９３を食すことができる状態（ここでは釣りエサ９３が外部空間１４に脱出する。）となるものである。
本容器１１においては、前記固定手段（線材７１）が、前記分割された少なくとも２の部分（第１壁部分２１と第２壁部分４１）を縛着し固定する線材７１を含んでなり、該線材７１の少なくとも一部が、水分に接触することで分断又は消滅する部材である水分分断消滅部材たる水溶性部分７３である。
そして、本容器１１においては、水分分断消滅部材たる水溶性部分７３が、水分に接触することで溶解するものであり、さらに水分分断消滅部材たる水溶性部分７３が、ポリビニルアルコール又はポリ酢酸ビニルの部分ケン化物により形成される紐材（ここではポリ酢酸ビニルの部分ケン化物により形成される紐材）である。
【００３１】
本容器１１においては、前記線材７１が、水分分断消滅部材たる水溶性部分７３と、それ以外の残部たる弾性部材７５と、を有してなり、該残部たる弾性部材７５が、引き伸ばされることで水分分断消滅部材たる水溶性部分７３に張力を与える弾性部材７５を含んでなるものである。
本容器１１においては、前記分割された少なくとも２の部分（第１壁部分２１と第２壁部分４１）のうち少なくとも一（ここでは第１壁部分２１と第２壁部分４１との両方）が、前記線材７１が該線材７１の長手方向に対して垂直方向に移動すること（横方向にずれること）を制限する移動制限手段たる線材係合溝２３及び線材係合溝４３を有するものである。また、前記移動制限手段たる線材係合溝２３及び線材係合溝４３が、前記垂直方向に前記線材７１が移動する際、前記垂直方向から前記線材７１に当接する凹部又は凸部（ここでは凹部である溝）である。
本容器１１においては、前記少なくとも２の部分（第１壁部分２１と第２壁部分４１）が２の部分（第１壁部分２１と第２壁部分４１との２の部分）であり、前記線材７１が該２の部分（第１壁部分２１と第２壁部分４１）の外面を巡るように該２の部分（第１壁部分２１と第２壁部分４１）を縛着し固定するものである。
本容器１１においては、前記所定時間（固定手段（線材７１）が、水分と接触した後、該少なくとも２の部分（第１壁部分２１と第２壁部分４１）の固定を解くまでの時間）が２０秒から１２０秒（ここでは約４９秒）である。
本容器１１においては、前記少なくとも２の部分（第１壁部分２１と第２壁部分４１）が前記壁部（第１楕円球を略形成するように合わされた状態の第１壁部分２１及び第２壁部分４１）を形成するよう互いに固定された際、前記少なくとも２の部分（第１壁部分２１と第２壁部分４１）の接合部分（平面Ｐ上）に糸貫通孔１５が形成されるものである。
【図面の簡単な説明】
【００３２】
【図１】一実施形態の本発明の釣りエサ用容器（本容器）を示す正面図である。
【図２】本容器の左側面図である。
【図３】本容器の平面図である。
【図４】図２のＣ−Ｃ断面図である。
【図５】第１壁部分及び第２壁部分のＤ−Ｄ断面図である。
【図６】第１壁部分及び第２壁部分のＥ−Ｅ断面図である。
【図７】線材の構造を示す詳細図である。
【図８】本容器の使用方法を示す図である。
【符号の説明】
【００３３】
１１            本容器
１３            内部空間
１３ａ          第１内部空間
１３ｂ          第２内部空間
１４            外部空間
１５            糸貫通孔
１５ａ          第１糸貫通孔
１５ｂ          第２糸貫通孔
２１            第１壁部分
２３            線材係合溝
４１            第２壁部分
４３            線材係合溝
７１            線材
７３            水溶性部分
７５            弾性部材
９１、９１ａ、９１ｂ  釣り針
９３            釣りエサ
９５            釣り糸
２０１            目的魚
３０１            水中
【図１】
2009254297.tif 000003
【図２】
2009254297.tif 000004
【図３】
2009254297.tif 000005
【図４】
2009254297.tif 000006
【図５】
2009254297.tif 000007
【図６】
2009254297.tif 000008
【図７】
2009254297.tif 000009
【図８】
2009254297.tif 000010